(57)【要約】【課題】  使用する静止画の総数を変えずにフォトムービーの総再生時間を指定通りに調整する。【解決手段】  フォトムービーは、特殊エフェクトの種類、使用される静止画のコマ数、シーン再生時間をパラメータとして各シーンを定義するシーン定義情報が組み合わされたシーン構成情報に基づいて作成される。作成されたシーン構成情報から各シーンの再生時間を合計したフォトムービーの総再生時間が算出される。フォトムービーの総再生時間をユーザーに指定された総再生時間に変更する場合、シーン再生時間とシーン構成が変更される。シーン再生時間が変更されると各シーンにおける画像の動き量が変化する。シーン構成が変更されると、複数の静止画を使用するエフェクトが指定されたシーンから特定の静止画が他のシーンに移動し、シーンの追加又は削除が行われる。【選択図】        図５
2006157197.tif 000002
【特許請求の範囲】
【請求項１】
少なくとも１コマの静止画を素材としてこれに加工編集処理を施すことにより、表示画面内のコマ移動、電子ズーミング効果、電子パンニング効果の少なくとも１つを含む特殊エフェクトを付与して１シーンを生成し、生成された複数のシーンを組み合わせて１つのフォトムービーを作成するフォトムービー作成装置において、
１シーンに付与される特殊エフェクトの種類、１シーンに使用される静止画のコマ数、及び／又は１シーンの再生時間をパラメータとするシーン定義情報が予め記憶された記憶手段と、
各パラメータの設定がなされた複数のシーン定義情報を組み合わせることによりフォトムービー全体のシーン構成が規定されたシーン構成情報に基づき、フォトムービー全体の総再生時間を算出する総再生時間算出手段と、
この総再生時間と、条件として指定される指定総再生時間とが異なる場合に、素材となる静止画の総コマ数を変えずに前記シーン定義情報の種類と数を選択して前記シーン構成情報を変更することにより、前記総再生時間を前記指定総再生時間に収めるように調整する総再生時間調整手段とを備えたことを特徴とするフォトムービー作成装置。
【請求項２】
前記総再生時間調整手段は、前記１シーンの再生時間のパラメータが異なるシーン定義情報を選択して前記シーン構成情報を変更することを特徴とする請求項１記載のフォトムービー作成装置。
【請求項３】
選択されるシーン定義情報は、前記特殊エフェクトが同一であることを特徴とする請求項２記載のフォトムービー作成装置。
【請求項４】
前記静止画を縮小して画面内を移動させるコマ移動の特殊エフェクトをパラメータとするシーン定義情報が存在する場合に、前記１シーンの再生時間が短くなることに応じて前記静止画の倍率を大きくしたコマ移動の特殊エフェクトをパラメータとするシーン定義情報が選択されることを特徴とする請求項２記載のフォトムービー作成装置。
【請求項５】
前記総再生時間調整手段は、１シーンに使用される静止画のコマ数が異なるシーン定義情報を選択して、組み合わされるシーン定義情報の総数が異なるように前記シーン構成情報を変更することを特徴とする請求項１ないし４にいずれか１つ記載のフォトムービー作成装置。
【請求項６】
ユーザーの入力操作により指定されたシーン定義情報を組み合わせることにより前記シーン構成情報を作成する第１ステップと、シーン構成のテンプレートとして予め用意された複数のシーン構成情報から１つのシーン構成情報がユーザーの入力操作により指定される第２ステップとを有するシーン構成情報作成手段を備え、
前記総再生時間算出手段は、前記第１ステップと前記第２のステップのいずれか一方に従って作成されたシーン構成情報に基づいて、フォトムービーの総再生時間を算出することを特徴とする請求項１ないし５にいずれか１つ記載のフォトムービー作成装置。
【請求項７】
前記条件としてフォトムービーと同時に出力される音声情報が予め指定されている場合に、この音声情報の再生時間を前記指定総再生時間とすることを特徴とする請求項１ないし６にいずれか１つ記載のフォトムービー作成装置。
【請求項８】
少なくとも１コマの静止画を素材としてこれに加工編集処理を施すことにより、表示画面内のコマ移動、電子ズーミング効果、電子パンニング効果の少なくとも１つを含む特殊エフェクトを付与して１シーンを生成し、生成された複数のシーンを繋ぎ合わせて１つのフォトムービーを作成する処理をコンピュータに実行させるフォトムービー作成プログラムにおいて、
１シーンに使用される静止画のコマ数、１シーンに付与される特殊エフェクトの種類、及び／又は１シーンの再生時間をパラメータとするシーン定義情報を有し、
各パラメータの設定がなされた複数のシーン定義情報を組み合わせることによりフォトムービー全体のシーン構成が規定されたシーン構成情報に基づき、フォトムービー全体の総再生時間を算出する総再生時間算出手段と、
この総再生時間と、条件として指定される指定総再生時間とが異なる場合に、素材となる静止画の総コマ数を変えずに前記シーン定義情報の種類と数を選択して前記シーン構成情報を変更することにより、前記総再生時間を前記指定総再生時間に収めるように調整する総再生時間調整手段としてコンピュータを機能させることを特徴とするフォトムービー作成プログラム。
【発明の詳細な説明】
【技術分野】
【０００１】
本発明は、素材となる静止画から動画として観賞されるフォトムービーを作成するフォトムービー作成装置及びフォトムービー作成プログラムに関する。
【背景技術】
【０００２】
デジタルカメラ等により記録された静止画を、動きのあるフォトムービーとして観賞できるようにした画像表示装置及びフォトムービー作成ソフトウェアが知られている（特許文献１及び２、非特許文献１ないし３参照）。フォトムービーは、特殊な加工編集処理により静止画に動的な視覚効果を付与したもので、画像を順次表示するだけのスライドショーと比べ、特定の被写体に注目した演出を行うことや、画像に様々なストーリー性を与えられる等の点で優れた表現が可能である。フォトムービーの映像は、専用の再生装置や上述のソフトウェアを組み込んだコンピュータ上で再生することができる。また、フォトムービーの映像データを汎用的なデジタル動画フォーマット等に変換し、ＤＶＤ等の光ディスクに記録すれば、家庭用ＤＶＤプレイヤー等を用いてフォトムービーを観賞することもできる。
【０００３】
静止画に動きを与えるフォトムービーの特殊エフェクトには、静止画の一部の領域に注目してズームイン／ズームアウトする電子ズーミング効果、静止画の一部の領域をクローズアップした状態でスクロールする電子パンニング効果、１コマの静止画を縮小表示して直線状又は曲線状等に移動させるコマ移動、特定の一点を中心に画像を回転させる回転効果、歪み（スキュー）を与える歪曲効果、これらを複合させた複合効果等がある。また、複数の静止画を縮小して同時に表示するマルチ画面効果や、アニメーション画像や装飾画像、字幕を合成した視覚効果を併用したものや、特殊エフェクトを与えないスライドショーを盛り込んだものなどがあり、その表示形態は多種多様である。
【０００４】
フォトムービーは、特殊エフェクトの種類ごとに素材となる静止画とその再生時間とがそれぞれ定められた複数のシーンを組み合わせることによって構成される。１つのシーンは、特殊エフェクトの種類を指定するパラメータと、素材として使用する静止画のコマ数を指定するパラメータと、１シーンの再生時間を決めるパラメータとを有するシーン定義情報により定義され、各パラメータの違いにより内容の異なるシーンが表現される。また、フォトムービー全体のシーン構成は、複数種類のシーン定義情報の組み合わせを規定するシーン構成情報により決められる。例えば、特許文献１に記載された画像表示装置では、各シーンのエフェクトと使用される静止画とを指定したシーン構成情報を記録し、このシーン構成情報に基づいてフォトムービーの映像を構築している。
【０００５】
フォトムービーは、素材として使用される静止画のコマ数が多い場合、その再生時間が長くなり過ぎることがある。このため、非特許文献２に記載の従来技術では、フォトムービーの総再生時間をユーザーが指定できるようになっており、指定された総再生時間に短縮されたフォトムービーを作成することができる。
【特許文献１】特開平１０−２００８４３号公報
【特許文献２】特開２００２−２４８４６号公報
【非特許文献１】株式会社デジタルステージ  LIFE* with-Photo-Cinema  ［平成１６年１１月１日検索］インターネット＜ＵＲＬ：http://www.digitalstage.net/jp/product/life/index.html＞
【非特許文献２】エー・アイ・ソフト株式会社  デジカメ de ムービーシアター  ［平成１６年１１月１日検索］インターネット＜ＵＲＬ：http://ai2you.com/imaging/products/dcmtheater/dcmt.asp＞
【非特許文献３】カノープス株式会社  Imaginate2.0  ［平成１６年１１月１日検索］インターネット＜ＵＲＬ：http://www.canopus.co.jp/catalog/imaginate/imaginate20#index.htm＞
【発明の開示】
【発明が解決しようとする課題】
【０００６】
しかしながら、上記従来技術では、再生時間を短縮するために素材となる静止画の一部を無作為に排除したフォトムービーを作成するため、ユーザーにとって重要な画像が使用されない場合があり、ユーザーの満足できる作品が得られないという問題が生じる。また、１シーンごとの再生時間の変更は手作業で行わなければならず、大変な労力を要するという問題がある。
【０００７】
本発明は、上記問題点を考慮してなされたもので、排除される静止画を生じることなくフォトムービー全体の総再生時間の変更が行え、ユーザーの満足できる作品が得られるフォトムービー作成装置及びフォトムービー作成プログラムを提供することを目的とする。
【課題を解決するための手段】
【０００８】
上記目的を達成するために、本発明は、少なくとも１コマの静止画を素材としてこれに加工編集処理を施すことにより、表示画面内のコマ移動、電子ズーミング効果、電子パンニング効果の少なくとも１つを含む特殊エフェクトを付与して１シーンを生成し、生成された複数のシーンを組み合わせて１つのフォトムービーを作成するフォトムービー作成装置において、１シーンに付与される特殊エフェクトの種類、１シーンに使用される静止画のコマ数、及び／又は１シーンの再生時間をパラメータとするシーン定義情報が予め記憶された記憶手段と、各パラメータの設定がなされた複数のシーン定義情報を組み合わせることによりフォトムービー全体のシーン構成が規定されたシーン構成情報に基づき、フォトムービー全体の総再生時間を算出する総再生時間算出手段と、この総再生時間と、条件として指定される指定総再生時間とが異なる場合に、素材となる静止画の総コマ数を変えずに前記シーン定義情報の種類と数を選択して前記シーン構成情報を変更することにより、前記総再生時間を前記指定総再生時間に収めるように調整する総再生時間調整手段とを備えたことを特徴とする。
【０００９】
前記総再生時間調整手段は、前記１シーンの再生時間のパラメータが異なるシーン定義情報を選択して前記シーン構成情報を変更することを特徴とする。
【００１０】
選択されるシーン定義情報は、前記特殊エフェクトが同一であることを特徴とする。
【００１１】
前記静止画を縮小して画面内を移動させるコマ移動の特殊エフェクトをパラメータとするシーン定義情報が存在する場合に、前記１シーンの再生時間が短くなることに応じて前記静止画の倍率を大きくしたコマ移動の特殊エフェクトをパラメータとするシーン定義情報が選択されることを特徴とする。
【００１２】
前記総再生時間調整手段は、１シーンに使用される静止画のコマ数が異なるシーン定義情報を選択して、組み合わされるシーン定義情報の総数が異なるように前記シーン構成情報を変更することを特徴とする。
【００１３】
ユーザーの入力操作により指定されたシーン定義情報を組み合わせることにより前記シーン構成情報を作成する第１ステップと、シーン構成のテンプレートとして予め用意された複数のシーン構成情報から１つのシーン構成情報がユーザーの入力操作により指定される第２ステップとを有するシーン構成情報作成手段を備え、前記総再生時間算出手段は、前記第１ステップと前記第２のステップのいずれか一方に従って作成されたシーン構成情報に基づいて、フォトムービーの総再生時間を算出することを特徴とする。
【００１４】
前記条件としてフォトムービーと同時に出力される音声情報が予め指定されている場合に、この音声情報の再生時間を前記指定総再生時間とすることを特徴とする。
【００１５】
また、本発明のフォトムービー作成プログラムは、少なくとも１コマの静止画を素材としてこれに加工編集処理を施すことにより、表示画面内のコマ移動、電子ズーミング効果、電子パンニング効果の少なくとも１つを含む特殊エフェクトを付与して１シーンを生成し、生成された複数のシーンを繋ぎ合わせて１つのフォトムービーを作成する処理をコンピュータに実行させるフォトムービー作成プログラムにおいて、１シーンに使用される静止画のコマ数、１シーンに付与される特殊エフェクトの種類、及び／又は１シーンの再生時間をパラメータとするシーン定義情報を有し、各パラメータの設定がなされた複数のシーン定義情報を組み合わせることによりフォトムービー全体のシーン構成が規定されたシーン構成情報に基づき、フォトムービー全体の総再生時間を算出する総再生時間算出手段と、この総再生時間と、条件として指定される指定総再生時間とが異なる場合に、素材となる静止画の総コマ数を変えずに前記シーン定義情報の種類と数を選択して前記シーン構成情報を変更することにより、前記総再生時間を前記指定総再生時間に収めるように調整する総再生時間調整手段としてコンピュータを機能させることを特徴とする。
【発明の効果】
【００１６】
本発明によれば、特殊エフェクトの種類、使用される静止画のコマ数及びその再生時間をパラメータとして１つのシーンを定義するシーン定義情報の数と種類を選択してシーン構成情報を変更し、フォトムービーの総再生時間が指定された場合にフォトムービーの総再生時間を調整するから、素材として使用する静止画の総コマ数が多い場合に、フォトムービーの総再生時間を短く調整し、総コマ数が少ない場合に総再生時間を長く調整することが手間をかけずに容易に行える。また、必要な素材を削除することや、余計な素材を加えることによってフォトムービーの総再生時間を調整しないから、ユーザーの満足する作品を提供することが可能となる。
【００１７】
また、１シーンの再生時間を変更することによりフォトムービーの総再生時間を調整するから、１秒単位での細かい時間調整が行える。
【００１８】
また、選択される定義情報は、同一の特殊エフェクトとなるようにしているから、ユーザーが当初希望していた作品と見た目の変わらない最適な総再生時間のフォトムービーを得ることができ、各シーンを早送り再生又はスロー再生して時間調整するような無理が生じない。
【００１９】
また、コマ移動の特殊エフェクトでは、シーンの再生時間を変更することによりシーン中におけるコマ画像の移動距離が変化するから、コマ画像の表示倍率を変更することにより、違和感のないシーンにすることができる。
【００２０】
また、複数の静止画を使用する特殊エフェクトが指定されたシーンが存在する場合には、そのシーンに他のシーンの静止画を組み込むことや、そのシーンから抜き出される特定の静止画を新たなシーンに組み込むことにより、シーン数の追加と削除が行え、シーン構成を変更することに大幅な時間調整が可能となる。
【００２１】
シーン構成情報は、ユーザーが１シーンごとにパラメータを設定することにより作成するステップと、予め特定のパラメータが設定された複数のシーンを組み合わせたテンプレートを用いて作成するステップのいずれかによって行うことにより、ユーザーが各シーンの設定を詳細に決定したフォトムービーの作成と、簡単な手順によるフォトムービーの作成を適宜選択でき、ユーザーの様々な希望に応えることができる。
【発明を実施するための最良の形態】
【００２２】
図１において、フォトムービー作成装置１０は、写真プリントサービスを提供するＤＰＥ店の店頭又は店内に設置され、フォトムービーの作成を依頼する注文客により操作がなされる。フォトムービー作成装置１０は、フォトムービー作成プログラム１１ａと制御プログラム等が記憶された記憶装置１１と、記憶装置１１に記憶された各プログラムを実行するＣＰＵ１２とを備えている。記憶装置１１は、例えば、ハードディスク型磁気記憶装置であり、フォトムービーの素材となる画像データや、ＣＰＵ１２の演算処理により生じる中間データ等も記憶される。
【００２３】
モニタ１３は、フォトムービー作成のための編集メニュー及び作成したフォトムービー等が表示される表示画面を有する。入力操作部１４は、フォトムービーの作成に必要なパラメータ等の入力が行われ、モニタ１３の表示画面上に表示された入力キー等に触れることにより入力処理が行われるタッチパネルからなる。通信部１５は、デジタルカメラ１６等の外部機器との間で画像データ等のデータ通信を行う。メディア読取り部１７は、注文客により持ち込まれたメモリカード１８に記憶された画像データを読取る。メディア記録部１９は、作成されたフォトムービーをＣＤ、ＤＶＤ等の光ディスク２０に記録する。
【００２４】
記憶装置１１に記憶されたフォトムービー作成プログラム１１aは、入力操作部１４を介してなされた入力処理等に基づいて装置各部の動作を制御する制御部２５と、注文客の指定に基づくシーン構成情報Ｓ１を作成するシーン構成情報作成部２６と、作成されたフォトムービーの総再生時間を算出する総再生時間算出部２７と、シーン構成情報作成部２６によって作成されたシーン構成情報Ｓ１に変更を加え、フォトムービーの総再生時間を注文客により指定された時間内に収めたシーン構成情報Ｓ１を作成する総再生時間調整部２８と、シーン構成情報Ｓ１に基づいてフォトムービーを出力するフォトムービー出力部２９として機能する。
【００２５】
シーン構成情報作成部２６は、フォトムービー作成プログラム１１ａに組み込まれたシーンテンプレートＴ１又はシナリオテンプレートＴ２が使用されることにより、フォトムービーを作成するためのシーン構成情報Ｓ１を作成する。シーン構成情報Ｓ１は、メディア読取り部１７から画像データとして読取られた静止画を、シーンテンプレートＴ１又はシナリオテンプレートＴ２に適用することにより作成される。
【００２６】
図２において、シーン構成情報Ｓ１は、フォトムービーを構成する１シーンごとに、その内容を決めるシーンパラメータが設定された複数のシーン定義情報Ｄ１が、各シーンの再生順に組み合わされて構成される。シーン定義情報Ｄ１は、エフェクトの種類、シーンの再生時間、使用するコマ画像のファイル名をそれぞれシーンパラメータとして各シーンを定義する。
【００２７】
シーンテンプレートＴ１は、使用するコマ画像が決められていない状態のシーン定義情報であり、ズーミングのテンプレート、コマ移動のテンプレート、パンニングのテンプレート等がある。特定の内容のシーンを特定の順番で組み合わせた独自のシーン構成情報を作成する場合には、シーンテンプレートＴ１を使用することにより、使用コマ画像のファイル名を指定するだけでフォトムービーの１シーンを設定できる。
【００２８】
シナリオテンプレートＴ２は、各シーンの内容とその組み合わせ、すなわちフォトムービー全体のシーン構成が予め決められており、使用コマ画像を指定するだけでシーン構成情報を作成できるものである。シナリオテンプレートＴ２は、テーマ別に複数種類のものが用意されており、例えば、結婚式，卒業式等の特定のイベントに適したシナリオテンプレート、クリスマス、正月等の特定の年間行事に適したシナリオテンプレートがあり、各シーンの内容がそれぞれ異なる。シーンテンプレートＴ１を使用すれば独自のシーン構成のフォトムービーを作成することができ、シナリオテンプレートＴ２を使用すれば簡単にフォトムービーを作成できる。どちらを使用するかは、用途に応じて注文客により任意に決められる。
【００２９】
エフェクトの種類を示すシーンパラメータは、エフェクトの種類に応じた静止画の使用コマ数、エフェクトの詳細内容を決めるエフェクトパラメータとに細分化される。各シーンに使用されるコマ数はエフェクトの種類ごとに異なり、例えばズーミングエフェクトやパンニングエフェクトでは１コマ、コマ移動では１ないし３コマ、マルチ表示エフェクトでは２ないし６コマ、という制限がある。各シーンについて、制限コマ数の範囲内で静止画を指定すれば、エフェクトの種類と指定されたコマ数とに応じて、初期設定により決められた推奨されるシーン再生時間が算出される。例えば、ズーミングエフェクトでは推奨されるシーン再生時間が５秒であり、コマ移動のエフェクトでは指定された静止画のコマ数が１つの時は４秒、２つの時は６秒、３つの時は８秒として予め決められた推奨再生時間が設定される。なお、シーン再生時間は、推奨再生時間以外の値に変更することもできる。
【００３０】
エフェクトパラメータとしては、例えばズーミングエフェクトの場合には、図３（ａ）に示すように、ズーミング終了時の静止画の表示範囲及びその拡大倍率を決める切り出し枠Ｆ１がある。図３（ｂ）に示すように、親子二人が写る元画像は、画像全体が表示された映像から子供の顔に注目して徐々にクローズアップされる映像へ移行し、ズーミング終了時には切り出し枠Ｆ１によって画定される領域内に写る子供の顔のアップが画面全体に拡大して表示される。切り出し枠Ｆ１の位置によりズーミング終了時に画面の中心に据える注目被写体を選択でき、切り出し枠Ｆ１の大きさによりその倍率が決まる。
【００３１】
また、図４（ａ）に示すように、パンニングエフェクトの場合には、パンニングの開始地点と終了地点を決める切り出し枠Ｆ２，Ｆ３が設定される。主要被写体として山が写る元画像は、図４（ｂ）に示すように、切り出し枠Ｆ２により画定された山の左端の裾野が写る領域を拡大した映像からはじまり、あたかもカメラを左右にパーンさせてパノラマ映像を見せるようにして山の中央及び頂上を捉えた映像を経て、切り出し枠Ｆ３によって画定された山の右端の裾野を捉えた映像で終了する。
【００３２】
また、コマ移動エフェクトでは、使用される静止画のコマ数と、各静止画の動き方を示す移動経路と、各静止画の表示倍率を設定できる。移動経路の種類には、円形、三角形、四角形、ランダム等があり、縮小表示された各コマ画像は、指定された形状に軌跡を描いて画面内を移動する。回転エフェクトでは、回転の中心座標を設定できる。マルチ表示エフェクトでは、使用される静止画のコマ数と各静止画の表示倍率を設定することができる。このようにしてシーンテンプレートＴ１又はシナリオテンプレートＴ２を使用し、各シーンのシーンパラメータを決定することでシーン構成情報を作成することができる。
【００３３】
総再生時間算出部２７は、シーン構成情報作成部２６により作成されたシーン構成情報Ｓ１を参照し、各シーンの再生時間を合計したフォトムービーの総再生時間を算出する。総再生時間調整部２８は、フォトムービーの総再生時間として注文客により希望の総再生時間が指定された場合に、指定された総再生時間とシーン構成情報Ｓ１に基づいて算出された総再生時間との差を求め、この総再生時間の差がなくなるように、特定のシーンの再生時間とシーン構成とを変更し、作成されるフォトムービーの総再生時間を調整する。また、ユーザーが希望するフォトムービーの総再生時間が指定される代わりに、ＢＧＭとしてフォトムービーと同時に再生される音楽が指定された場合には、この音楽の再生時間に合わせてフォトムービーの総再生時間が調整される。
【００３４】
総再生時間調整部２８は、例えば、シーン構成情報作成部２６により当初作成されたシーン構成情報Ｓ１に基づくフォトムービーの総再生時間が１２分であった場合、指定された総再生時間が１０分であればその差が２分となるので、総再生時間を２分間短縮したフォトムービーとなるようにシーン構成情報Ｓ１を変更する。また、指定された総再生時間が１５分であった場合、総再生時間を３分延長したフォトムービーとなるようにシーン構成情報を変更する。
【００３５】
シーン構成情報を変更する際には、使用される静止画の総コマ数と、シーン定義情報Ｄ１の数（＝シーンの数）と、シーン定義情報Ｄ１の内容（＝エフェクト、使用コマ数により決まるシーンの種類）と、短縮又は延長される時間の大きさとが参照され、どのような変更を行うかが決められる。例えば、静止画の総コマ数及びシーン数に対して、総再生時間の変更値が小さければ、図５に示すように各シーンの再生時間を短縮又は延長することで総再生時間が調整される。これに伴い、各特殊エフェクトによる画像の動き量が変化する。
【００３６】
ズーミングエフェクトでは、切り出し枠Ｆ１の大きさが変更され、ズーミング終了時の静止画の表示倍率が変化する。また、コマ移動エフェクトでは、各コマ画像の移動距離が変化するとともに各コマ画像の表示倍率が変化し、コマ画像が画面の端から端に移動できるように移動距離が小さくなるほど各コマの表示倍率が大きくなる。シーンの再生時間を変更することにより１秒単位での総再生時間の微調整が可能となる。パンニングエフェクトでは、切り出し枠Ｆ２，Ｆ３の位置又は大きさが変化し、パンニングの距離及び時間の少なくとも一方が変化する。なお、シーンの再生時間は、エフェクトの種類や１シーンに使用される静止画のコマ数に応じてその下限値が定められており、この下限値より短い再生時間には変更できないようにされている。
【００３７】
また、静止画の総コマ数或いはシーン数に対して総再生時間の変更値が大きければ、各シーンの再生時間を変更することに加え、シーン定義情報Ｄ１の数及び種類を変更することにより総再生時間の調整が行われる。図６に示すように、総再生時間を短縮する場合には、使用される静止画のコマ数が複数であるエフェクトのシーンに対し、他のシーンに使用される静止画が盛り込まれ、他のシーンに静止画を移動したシーンがカットされる。また、使用される静止画のコマ数が１つであるエフェクトが、複数の静止画を使用するエフェクトのシーンに変更され、静止画の移動元のシーンがカットされる。総再生時間を延長する場合には、上述と逆の処理が行われ、１シーンに使用する静止画のコマ数を少なくする代わりに、新しくシーンが追加される。また、複数の静止画を使用するエフェクトのシーンが、１つの静止画を使用するエフェクトのシーンに変更される。シーンの追加と削除を行うことにより数十秒単位で総再生時間を大きく調整することが可能となる。
【００３８】
フォトムービー出力部２９は、素材となる静止画に各特殊エフェクトが付与された各シーンの映像を毎秒３０フレームの動画として出力し、これをＭＰＥＧ２−ＤＶＤ−Ｖｉｄｅｏフォーマット等のデジタル動画フォーマットの動画データに変換する。この動画データは、記憶装置１１に格納された後にメディア記録部１９に出力され、光ディスク２０に記録される。
【００３９】
次に、フォトムービー作成装置１０の作用について説明する。図７において、画像データとして静止画の記憶されたデジタルカメラ１６又はメモリカード１８が注文客により持ち込まれ、デジタルカメラ１６は通信部１５に接続され、メモリカード１８はメディア読取り部１７にセットされる。制御部２５は、デジタルカメラ１６又はメモリカード１８から読み出された静止画の画像データを記憶装置１１に格納する。シーン構成情報作成部２６は、シナリオテンプレートＴ２を使用してシーン構成情報Ｓ１を作成する自動作成ステップと、シーンテンプレートＴ１を使用してシーン構成情報Ｓ１を作成するマニュアル作成ステップとを注文客に選択するように促し、選択されたステップを実行する。
【００４０】
自動作成ステップでは、予め用意された複数種類のシナリオテンプレートの中からユーザーにより選択された１つのシナリオテンプレートに対して記憶装置１１に画像データとして格納されている静止画が適用される。このとき、使用される静止画のコマ数が複数であるエフェクトが指定されたシーンに対しては、デジタルカメラ１６又はメモリカード１８から読み込まれた静止画の総コマ数に応じて、各シーンに適したコマ数が自動的に決められる。また、マニュアル作成ステップでは、１シーンごとにシーンパラメータとエフェクトパラメータの設定がなされ、シーン構成情報が作成される。
【００４１】
シーン構成情報作成部２６は、作成されたシーン構成情報Ｓ１を総再生時間算出部２７に送る。総再生時間算出部２７は、シーン構成情報Ｓ１に組み込まれている各シーンの再生時間の合計値を算出する。モニタ１３には、作成されるフォトムービーの総再生時間が表示される。また、フォトムービーにＢＧＭを使用するか否かの選択を求める表示がなされる。ＢＧＭを使用する場合には、デジタルカメラ１６又はメモリカード１８に音声データとして記憶されている音声を指定する。
【００４２】
総再生時間調整部２８は、シーン構成情報作成部２６により作成されたシーン構成情報Ｓ１と、そのフォトムービーの総再生時間の情報と、音声の再生時間の情報とを取得し、フォトムービーの総再生時間と音声の再生時間が一致するようにシーン定義情報の数と種類を選択し、シーン構成情報Ｓ１を変更する。なお、当初のフォトムービーの総再生時間がＢＧＭとなる音声の再生時間に比べて２倍以上の長さである場合には、音声をリピート再生した場合の総再生時間に合わせてフォトムービーの長さが調整される。
【００４３】
また、総再生時間調整部２８は、BGMとなる音声の指定がなされず、注文客によりフォトムービーの希望総再生時間が指定された場合には、指定された総再生時間のフォトムービーが得られるようにシーン構成情報Ｓ１を変更する。フォトムービーの時間調整のために変更が加えられたシーン構成情報Ｓ１は、フォトムービー出力部２９に送られ、記憶装置１１にフォトムービーの映像データが書き込まれる。また、BGMとなる音声の指定や、希望総再生時間の指定がなされなければ、当初作成されたシーン構成情報Ｓ１がフォトムービー出力部２９に送られ、同様にして記憶装置１１にフォトムービーの映像データが書き込まれる。
【００４４】
記憶装置１１に格納されたフォトムービーの映像データは、メディア記録部１９において光ディスク２０に書き込まれる。フォトムービーの映像データが書き込まれた光ディスク２０は、フォトムービー作成装置１０の外部に排出され、料金と引き換えに注文客に渡される。以上のようにして、フォトムービーの作成依頼と商品の受渡しが行われる。
【００４５】
なお、上記実施形態のフォトムービー作成装置１０は、ＤＰＥ店等に設置されるフォトムービー作成専用の装置であるが、他の形態として、シーン構成情報Ｓ１を作成するための注文受付機と、注文受付機からシーン構成情報を受信し、フォトムービーを作成するフォトムービー出力機とから構成されていてもよい。この場合、本発明のフォトムービー作成プログラム１１ａをパーソナルコンピュータに組み込み、注文を自宅からインターネット等の通信手段を介して行えるようにしてもよい。さらに、デジタルスチルカメラに、本発明のフォトムービー作成プログラム１１ａを組み込むことにより、撮影した画像をその場でフォトムービーとして再生出力できるようにしてもよい。
【００４６】
また、上記実施形態では、静止画に動きを与える特殊エフェクトの場合に、静止画の動き量を変更することによりフォトムービーの見映えを変えることなくシーン再生時間を変更しているが、静止画の表示形態を時間ごとに変化させる他の特殊エフェクトにおいても表示形態の時間変化量を調整してシーン再生時間を変更できる。例えば、シーン中で静止画の明るさを変化させる特殊エフェクトでは、そのエフェクトパラメータとなる明るさの変動幅を変えて対応することができる。また、静止画の色を変化させる特殊エフェクトの場合、モノクロ，セピア、カラーの順に色合いを変化させるものでは、中間のセピア色への変化を省略して対応することができる。
【００４７】
また、上記実施形態では、シーン定義情報Ｄ１が、特殊エフェクトの種類，静止画のコマ数、シーン再生時間の３種類のシーンパラメータにより成り立っているが、例えば、１シーンの再生時間が特殊エフェクトの種類に応じて一定とされている場合では、特殊エフェクトの種類と、これに対応した静止画のコマ数の２つをシーンパラメータとするシーン定義情報により、フォトムービーの総再生時間が調整されるようにしてもよい。同様に、特殊エフェクトの種類と、これに対応した静止画のコマ数が一定とされている場合では、シーン再生時間のみをシーンパラメータとするシーン定義情報により、総再生時間が調整されるようにしてもよい。
【図面の簡単な説明】
【００４８】
【図１】本発明のフォトムービー作成装置の概略構成を示すブロック図である。
【図２】シーン構成情報を示す概念図である。
【図３】ズーミングエフェクトによるシーンの表示形態を示す説明図である。
【図４】パンニングエフェクトによるシーンの表示形態を示す説明図である。
【図５】シーン再生時間の変更によりフォトムービーの総再生時間を調整することを示す説明図である。
【図６】シーン構成の変更によりフォトムービーの総再生時間を調整することを示す説明図である。
【図７】フォトムービー作成装置の動作の流れを示すフローチャートである。
【符号の説明】
【００４９】
１０  フォトムービー作成装置
１１  記憶装置
１１ａ  フォトムービー作成プログラム
１２  ＣＰＵ
１３  モニタ
１４  入力操作部
１５  通信部
１６  デジタルカメラ
１７  メディア読取り部
１８  メモリカード
１９  メディア記録部
２０  光ディスク
２５  制御部
２６  シーン構成情報作成部
２７  総再生時間算出部
２８  総再生時間調整部
２９  フォトムービー出力部
Ｄ１  シーン定義情報
Ｓ１  シーン構成情報
Ｔ１  シーンテンプレート
Ｔ２  シナリオテンプレート
【図１】
2006157197.tif 000003
【図２】
2006157197.tif 000004
【図３】
2006157197.tif 000005
【図４】
2006157197.tif 000006
【図５】
2006157197.tif 000007
【図６】
2006157197.tif 000008
【図７】
2006157197.tif 000009